(57)【要約】【課題】ダイヤルパルス送出時のオフフックの誤検出防止をはかった回線端末装置を提供することを目的とする。【解決手段】回線端末装置２０は、電話機１が電話回線３０から切り離されている時の電話機のオフフックを検出する後段オフフック検出部２２と、選択信号を送出するダイヤリング制御部２４と、前記各部を制御する中央制御部２８と、ダイヤリング制御部２４からダイヤルパルスで選択信号を送出する際、メークブレーク中は後段オフフック検出部２２から中央制御部２８へのオフフック信号伝達をマスクする後段オフフック信号マスク部２７とを備えたものである。これによって、ダイヤリング制御部２４からダイヤルパルス送出時のメークブレーク中は後段オフフック検出部２２から中央制御部２８へ伝達されるオフフック信号をマスクしオフフックの誤検出防止がはかれる。【選択図】図１
2006345023.tif 000002
【特許請求の範囲】
【請求項１】
電話機が電話回線から切り離されている時の電話機のオフフックを検出する後段オフフック検出部と、選択信号を送出するダイヤリング制御部と、前記各部を制御する中央制御部と、前記ダイヤリング制御部からダイヤルパルスで選択信号を送出する際、メークブレーク中は後段オフフック検出部から中央制御部へのオフフック信号伝達をマスクする後段オフフック信号マスク部とを備えた回線端末装置。
【請求項２】
後段オフフック信号マスク部は、後段オフフック検出部から中央制御部へのオフフック信号伝達をミニマムポーズ開始時から所定時間だけマスクする請求項１に記載の回線端末装置。
【発明の詳細な説明】
【技術分野】
【０００１】
本発明は、ガスや水道の自動検針や、緊急コール、家屋への侵入検知、家屋、ビルに設置した火災やガス漏れなどの検知機器からの情報、若しくはその設備、機器、家電製品などの異常状態や動作状態、または病人、独居老人の容態、様子などの情報を、公衆回線網を介して通報先に伝える回線端末装置に関するものである。
【背景技術】
【０００２】
従来、この種の回線端末装置には電話機などの電話回線接続機器が接続され、接続されている電話機が使用されていたり、通報の途中でこの電話機が使用されていたりすると通報を中断するようになっていた（例えば、特許文献１参照）。
【０００３】
これは、図４に示すような構成となっている。端末網制御装置１０は、回線端末装置の一つで、電話回線Ｌ１、Ｌ２が接続端子Ｔ１、Ｔ２を介して電話機１などに接続されているときの電話機１などのオフフックを検出する第１オフフック検出部２と、電話回線がデータ通信端末３に接続されているときの電話機１などのオフフックを検出する第２オフフック検出部４と、電話機１などのオフフック検出時、第１オフフック検出部２と第２オフフック検出部４を切り換えるオフフック検出切換部５とを有する。さらに、電話回線を電話機１などに接続している状態でデータ通信を開始する場合に第１オフフック検出部２が電話機１などのオフフックを検出していなければ電話回線をデータ通信端末３に切換接続し、電話回線をデータ通信端末３に接続してデータ通信を行っている場合に第２オフフック検出部４が電話機１などのオフフックを検出すれば電話回線を電話機１などに切換接続する切換制御部６と、各部を制御する制御装置部７と、オフフック検出切換部５にて第１オフフック検出部２から第２オフフック検出部４に切り換えた時、あるいは第２オフフック検出部４から第１オフフック検出部２に切り換えた時、制御装置部７へのオフフック信号伝達を第１の時間だけマスクするオフフック信号マスク部８とを有する。また、端末電源部９は破線１１で囲まれた各部への電源供給を主体に行っている。
【０００４】
この構成により、オフフック検出切換部５にて第１オフフック検出部２から第２オフフック検出部４に切り換えた時、あるいは第２オフフック検出部４から第１オフフック検出部２に切り換えた時、制御装置部７へのオフフック信号伝達がオフフック信号マスク部８により第１の時間だけマスクされる。すなわち、オフフック検出部切り換え直後の第１の時間内に、仮に疑似オフフック信号が発生したとしてもオフフック信号マスク部８によりマスクされ、最終的には制御装置部７に伝達されない。そして、第１の時間経過以降のオフフック信号が制御装置部７に伝達される。
【０００５】
図５は、従来における動作を示すタイミングチャートであり、上部から順番に、ａ．電話機１のオンフック／オフフックの状態、ｂ．第１オフフック検出部２の出力信号、ｃ．第２オフフック検出部４の出力信号、ｄ．オフフック信号マスク部８の出力信号を示している。オフフック検出切換部５によって電話機１などが電話回線に接続されている状態において、タイミングｔ０で電話機１などがオンフックからオフフックされたので、第１オフフック検出部２、すなわち制御装置部７に伝達される。次に、タイミングｔ１で電話機１などがオフフックからオンフックされたので、上記のようにオフフック信号マスク部８からはオンフック信号が伝達される。そして、タイミングｔ２で制御装置部７からオフフック検出切換部５への制御信号が出力される。電話回線が電話機１などに接続されている状態でオンフックの場合には、回線電圧（公称４８ボルト）分が電話機１などの内蔵容量分にたまっている。それ故、オフフック検出切換部５にて第１オフフック検出部２から第２オフフック検出部４に切り換えられた直後は同図に示すように、電話機１などがオンフ
ック状態であるにもかかわらず、第２オフフック検出部４から疑似オフフック信号が出力されることがある。しかし、オフフック検出部が切り換えられたとき故に、オフフック信号マスク部８は第１の時間Ｔ１（タイミングｔ２からｔ３までの時間）だけ入力信号をマスクする。それ故、制御装置部７へは疑似オフフック信号は伝達されない。また、タイミングｔ４では電話機１などがオフフックされたので、第２オフフック検出部４からの信号がオフフック信号マスク部８を介して即伝達される。
【０００６】
このように、電話回線を電話機１などに接続している状態でデータ通信を開始する場合にオフフック検出切換部５にて第１オフフック検出部２から第２オフフック検出部４に切り換えた時、オフフック信号マスク部８が制御装置部７へのオフフック信号伝達を第１の時間だけマスクするので、たとえ疑似オフフック信号が第２オフフック検出部４にて発生しても制御装置部７へ入力されることはない。また、データ通信が終了したときなど、第２オフフック検出部４から第１オフフック検出部２に切り換えた場合も、上記と同様にオフフック信号マスク部８の作用により第１オフフック検出部２にて疑似オフフック信号が発生しても制御装置部７へ入力されることはない。それ故、電話機１などの端末種類によらず、オフフック検出部切り換え直後も確実にオフフックを検出することが出来るので、いたずらに端末発呼を中断することなく、データ通信を継続することが可能となる。
【０００７】
なお、第１オフフック検出部２から第２オフフック検出部４に切り換えた時のオフフック信号マスク部８によるマスク時間と、逆に第２オフフック検出部４から第１オフフック検出部２に切り換えた時のマスク時間を同一値とする例を示したが、動作モードに応じてマスク時間を可変すれば、無駄時間のない適切な操作を実現することもできる。
【特許文献１】特開平５−２５２２９９号公報
【発明の開示】
【発明が解決しようとする課題】
【０００８】
しかしながら、前記従来の構成では、ＡＤＳＬ化された電話回線に端末網制御装置を接続しようとした場合、あるいは端末網制御装置が接続されている回線がＡＤＳＬ化された場合、ＡＤＳＬの影響が回線端末装置の通信に影響を与えないように、また回線端末装置の通信がＡＤＳＬの通信に影響を与えないように、ＡＤＳＬアダプタを接続して使用する。このＡＤＳＬアダプタは、端末網制御装置１０のＬ１、Ｌ２やＴ１、Ｔ２の他、スプリッタや保安器とも接続して使用する。
【０００９】
このＡＤＳＬアダプタを接続した状態で端末網制御装置がダイヤルパルスで発信を行うと、ダイヤルパルスで選択信号送出時にはメークブレークすることで、電話回線の電圧が急激な変化を繰り返し、その電圧の変化が、ＡＤＳＬアダプタを経由してＴ１、Ｔ２へのノイズ信号として入り込んでしまい、あたかも電話機がオフフックされたかのような疑似のオフフック信号が発生する。この入り込んできたノイズ信号が、疑似オフフック信号として第２オフフック検出部４に入力され、オフフック信号マスク部８を介して制御装置部７へ伝達される。この擬似的なオフフック信号を受けた制御装置部７はオフフック検出切換部５へ制御信号が出力し、電話回線を電話機１などに切換接続して端末発呼を中断してしまうという課題を有していた。
【００１０】
本発明は、前記従来の課題を解決するもので、ダイヤルパルスで選択信号を送出する際にノイズにより発生する擬似的なオフフック信号は無効にして、真のオフフック信号のみ有効とする回線端末装置を提供することを目的とする。
【課題を解決するための手段】
【００１１】
前記従来の課題を解決するために、本発明の回線端末装置は、電話機が電話回線から切り離されている時の電話機のオフフックを検出する後段オフフック検出部と、選択信号を
送出するダイヤリング制御部と、前記各部を制御する中央制御部と、前記ダイヤリング制御部からダイヤルパルスで選択信号を送出する際、メークブレーク中は後段オフフック検出部から中央制御部へのオフフック信号伝達をマスクする後段オフフック信号マスク部とを備えたものである。
【００１２】
これによって、ＡＤＳＬアダプタを接続した状態で回線端末装置がダイヤリング制御部よりダイヤルパルスで発信を行うと、ダイヤルパルスでの選択信号送出時のメークブレークで、電話回線の電圧が急激な変化を繰り返し、その電圧の変化が、ＡＤＳＬアダプタを経由して入り込んできたノイズ信号が後段オフフック検出部ではオフフック信号として検出されるが、メークブレーク中のオフフック信号は後段オフフック信号マスク部によりマスクされ、中央制御部へは伝達されない。従ってダイヤリング制御部のメークブレークにより発生した擬似的なオフフック信号は無効とすることができ、発信を継続することが可能となる。そしてダイヤルパルス送出時以外は今までどおりのオフフック検出が可能となる。
【発明の効果】
【００１３】
本発明の回線端末装置は、ダイヤルパルスで選択信号を送出する際に発生する擬似的なオフフック信号は無効にして、真のオフフック信号のみ有効とすることが可能となる。
【発明を実施するための最良の形態】
【００１４】
第１の発明は、電話機が電話回線から切り離されている時の電話機のオフフックを検出する後段オフフック検出部と、選択信号を送出するダイヤリング制御部と、前記各部を制御する中央制御部と、前記ダイヤリング制御部からダイヤルパルスで選択信号を送出する際、メークブレーク中は後段オフフック検出部から中央制御部へのオフフック信号伝達をマスクする後段オフフック信号マスク部とを備えた回線端末装置としたことにより、ＡＤＳＬアダプタを接続した状態で端末網制御装置がダイヤルパルスで発信を行うと、ダイヤルパルスでの選択信号送出時のメークブレークで、電話回線の電圧が急激な変化を繰り返し、その電圧の変化が、ＡＤＳＬアダプタを経由してノイズ信号として入り込んでしまい、この入り込んできたノイズ信号が後段オフフック検出部ではオフフック信号として検出されるが、メークブレーク中のオフフック信号は後段オフフック信号マスク部によりマスクされ、中央制御部へは伝達されない。従ってノイズ信号により擬似的なオフフック信号が発生しても、発信を継続することが可能となり、ダイヤルパルス送出時以外は今までどおりのオフフック検出が可能となる。
【００１５】
第２の発明は、特に、第１の発明において、後段オフフック信号マスク部は、後段オフフック検出部から中央制御部へのオフフック信号伝達をミニマムポーズ開始時から所定時間だけマスクすることにより、メークブレーク制御終了直後のまだ回線電圧が不安定な時に遅延して発生するノイズ信号をマスクすることができる。従って、遅延して発生するノイズ信号も中央制御部へは伝達させないようにすることができる。
【００１６】
以下、本発明の実施の形態について、図面を参照しながら説明する。なお、この実施の形態によって本発明が限定されるものではない。
【００１７】
（実施の形態）
図１は、本発明の実施の形態における回線端末装置を示すものである。
【００１８】
図に示すように、回線端末装置２０は、電話機１のオフフックを検出するオフフック検出部２１と、電話機１が電話回線から切り離されている時の電話機のオフフックを検出する後段オフフック検出部２２と、電話回線３０と電話機１を接続したり切り離したりするオフフック検出切換部２３と、選択信号を送出するダイヤリング制御部２４と、前記各部
２２、２３、２４を制御する中央制御部２８と、前記ダイヤリング制御部２４からダイヤルパルスで選択信号を送出する際、メークブレーク中は後段オフフック検出部２２から中央制御部２８へのオフフック信号伝達をマスクする後段オフフック信号マスク部２７とを備えている。
【００１９】
前記オフフック検出部２１は、オフフック検出切換部２３が電話機１を電話回線３０に接続している時（図の状態とは異なる）の電話機１のオフフックを検出する。後段オフフック検出部２２は、オフフック検出切換部２３が電話機１を電話回線３０から切り離している時（図の状態）の電話機１のオフフックを検出する。
【００２０】
ダイヤリング制御部２４は、端末発呼時に電話回線３０に対して選択信号を送出する。そして、このダイヤリング制御部２４は、ダイヤルパルス出力部２５とＰＢ信号出力部２６で構成され、ダイヤルパルス出力部２５はメークブレークすることでダイヤルパルスを送出し、ＰＢ信号出力部２６は、プッシュボタン信号を送出するようになっている。
【００２１】
以上のように構成された回線端末装置２０について、以下その動作、作用を説明する。
【００２２】
回線端末装置２０にはＡＤＳＬアダプタと電話回線３０および電話機１を接続した状態での動作を説明する。
【００２３】
まず、回線端末装置２０がダイヤルパルスで発信を行う時は、中央制御部２８はオフフック検出部２１で電話機１がオフフックされてないことを確認後、オフフック検出切換部２３で、電話機１を電話回線３０より切り離し、後段オフフック検出部２２でオフフックが検出できるようにする。その後、中央制御部２８からダイヤリング制御部２４へ通報先電話番号のデータが送られ、ダイヤリング制御部２４では、通報先電話番号に応じたダイヤルパルスが送出されるようにダイヤルパルス出力部２５でメークブレークが行われる。すると、電話回線３０の電圧が急激な変化を繰り返し、その電圧の変化が、ＡＤＳＬアダプタを経由して、図２のようにノイズ信号として後段オフフック検出部２２に入り込んでしまう。この入り込んできたノイズ信号が後段オフフック検出部２２ではオフフック信号として検出されるが、メークブレーク中のオフフック信号は後段オフフック信号マスク部２７によりマスクされ、中央制御部２８へは伝達されない。
【００２４】
一方、ダイヤリング制御部２４から通報先電話番号が送出中に電話機１がオフフックされることもあり、その場合、メークブレーク中は、オフフック信号は後段オフフック信号マスク部２７によりマスクされるが、メークブレーク制御が終了しミニマムポーズに入るとオフフック信号はマスクされず有効となり、電話機１のオフフックを検出することが可能となる。
【００２５】
次に、回線端末装置２０がプッシュボタン信号で発信を行う時は、中央制御部２８はダイヤルパルスで発信するのと同様にオフフック検出部２１で電話機１がオフフックされてないことを確認後、オフフック検出切換部２３で、電話機１を電話回線３０より切り離し、後段オフフック検出部２２でオフフックが検出できるようにする。その後、中央制御部２８からダイヤリング制御部２４へ通報先電話番号のデータが送られ、ダイヤリング制御部２４では、ＰＢ信号出力部２６でプッシュボタン信号が送出される。そして、この間は、後段オフフック信号マスク部２７はマスクしないため、電話機１がオフフックされたら中央制御部２８は即座にオフフックを検出して発信を中断することができる。
【００２６】
このように、ダイヤルパルス送出時のメークブレーク制御中に発生するノイズ信号による擬似的なオフフック信号は無効にでき、真の電話機１のオフフックは有効に判定することができる。
【００２７】
以上のように、本実施の形態においては、電話機１が電話回線３０から切り離されている時の電話機１のオフフックを検出する後段オフフック検出部２２と、選択信号を送出するダイヤリング制御部２４と、各部を制御する中央制御部２８と、ダイヤリング制御部２４からダイヤルパルスで選択信号を送出する際、メークブレーク中は後段オフフック検出部２２から中央制御部２８へのオフフック信号伝達をマスクする後段オフフック信号マスク部２７とを備え、ＡＤＳＬアダプタを接続した状態で回線端末装置２０がダイヤルパルスで発信を行うと、ダイヤルパルスでの選択信号送出時のメークブレークで、電話回線３０の電圧が急激な変化を繰り返し、その電圧の変化が、ＡＤＳＬアダプタを経由してノイズ信号として入り込んでしまい、この入り込んできたノイズ信号が後段オフフック検出部２２ではオフフック信号として検出されるが、メークブレーク中のオフフック信号は後段オフフック信号マスク部２７によりマスクされ、中央制御部２８へは伝達されないようにした。これにより、ノイズ信号により擬似的なオフフック信号が発生しても、発信を継続することが可能となり、ダイヤルパルス送出時以外は今までどおりのオフフック検出が可能となる。
【００２８】
また、本実施の形態における後段オフフック信号マスク部２７による、後段オフフック検出部２２から中央制御部２８へのオフフック信号伝達のマスクを、メークブレーク制御中だけでなく、メークブレーク制御終了後のミニマムポーズ開始時から所定時間（ｔ時間：ミニマムポーズ時間より短くて、ミニマムポーズが終了するまでの残り時間でオフフックが検出可能な時間）だけさらにマスクすることで、すなわち、図３のようにメークブレーク制御終了直後のまだ回線電圧が不安定な時に遅延して発生するノイズ信号をマスクすることで、遅延して発生するノイズ信号による疑似オフフック信号も中央制御部２８へは伝達させないようにすることができる。
【産業上の利用可能性】
【００２９】
以上のように、本発明にかかる回線端末装置は、ダイヤルパルスで選択信号を送出する際に発生する擬似的なオフフック信号は無効にして、真のオフフック信号のみ有効とすることが可能となるので、電話回線がデジタル回線でターミナルアダプタのアナログポートに接続されたり、ＰＢＸなどの回線に接続されたりするシステムや、あるいは電話機の代わりに回線端末装置を複数台接続したシステムにも適用できる。
【図面の簡単な説明】
【００３０】
【図１】本発明の実施の形態における回線端末装置のブロック図
【図２】同回線端末装置におけるダイヤルパルス送出時のオフフック検出信号のタイミングチャート
【図３】同回線端末装置におけるダイヤルパルス送出時のオフフック検出信号の異なるタイミングチャート
【図４】従来の回線端末装置のブロック図
【図５】同回線端末装置のオフフック検出信号のタイミングチャート
【符号の説明】
【００３１】
１  電話機
２０  回線端末装置
２１  オフフック検出部
２２  後段オフフック検出部
２３  オフフック検出切換部
２４  ダイヤリング制御部
２５  ダイヤルパルス出力部
２６  ＰＢ信号出力部
２７  後段オフフック信号マスク部
２８  中央制御部
３０  電話回線
【図１】
2006345023.tif 000003
【図２】
2006345023.tif 000004
【図３】
2006345023.tif 000005
【図４】
2006345023.tif 000006
【図５】
2006345023.tif 000007